(57)【要約】【課題】再生可能エネルギを利用した外部充電と、外部充電場所の周辺に存在する店舗への来店とを、特定の属性を有するユーザに対して適切に促す。【解決手段】充電処理システムは、再生可能エネルギを利用して発電されたＣＯ２フリー電力を供給可能な給電設備と、給電設備から供給されるＣＯ２フリー電力を用いて車載の蓄電装置を充電するＣＯ２フリー充電を実行可能に構成された電動車両と、電動車両を所有するユーザが携帯可能な携帯端末と、サーバとを備える。サーバは、ＣＯ２フリー充電が行なわれる電動車両のユーザに対して、給電設備の周辺に存在する店舗で使用可能なクーポンを発行する。サーバは、ユーザＩＤと各ユーザの属性とを対応付けたユーザ属性情報を記憶する記憶装置と、ユーザ属性情報を参照して特定の属性を有するユーザを抽出し、抽出されたユーザにクーポン予告情報を通知する制御装置とを含む。【選択図】図７
2020102025.tif 000002
【特許請求の範囲】
【請求項１】
再生可能エネルギを利用して発電されたＣＯ２フリー電力を供給可能な給電設備と、
前記給電設備から供給される前記ＣＯ２フリー電力を用いて車載の蓄電装置を充電するＣＯ２フリー充電を各々が実行可能に構成された複数の電動車両と、
前記複数の電動車両をそれぞれ所有する複数のユーザがそれぞれ携帯可能な複数の携帯端末と、
前記複数の電動車両のうちの前記ＣＯ２フリー充電が行なわれる電動車両のユーザの携帯端末に対して、前記給電設備の周辺に存在する店舗で使用可能なクーポンを発行可能に構成されたサーバとを備え、
前記サーバは、
前記複数のユーザの各々について、各前記ユーザを特定するための情報と各前記ユーザの属性を示す情報とを対応付けたユーザ属性情報を記憶する記憶装置と、
前記ユーザ属性情報を参照して特定の属性を有するユーザを抽出し、抽出されたユーザの携帯端末に対して、発行を予定している前記クーポンに関するクーポン予告情報を通知するように構成された制御装置とを含む、充電処理システム。
【請求項２】
前記ユーザ属性情報には、各前記ユーザが前記店舗に来店する傾向にある時間帯の情報が含まれ、
前記制御装置は、前記特定の属性が特定の時間帯に前記店舗に来店する傾向にあるという属性である場合、前記ユーザ属性情報を参照して前記特定の時間帯に前記店舗に来店する傾向にあるユーザを抽出し、抽出されたユーザの携帯端末に対して前記クーポン予告情報を通知する、請求項１に記載の充電処理システム。
【請求項３】
前記特定の時間帯は、前記店舗の集客率が所定率よりも高い時間帯を含み、
前記クーポン予告情報は、前記店舗の集客率が前記所定率よりも低い時間帯に前記クーポンが発行されることを示す情報を含む、請求項２に記載の充電処理システム。
【請求項４】
前記ユーザ属性情報には、各前記ユーザの位置情報が含まれ、
前記制御装置は、前記特定の属性が特定の場所に居るという属性である場合、前記ユーザ属性情報を参照して前記特定の場所に居るユーザを抽出し、抽出されたユーザの携帯端末に対して前記クーポン予告情報を通知する、請求項１に記載の充電処理システム。
【発明の詳細な説明】
【技術分野】
【０００１】
本開示は、再生可能エネルギを利用して車載の蓄電装置を充電する充電制御システムに適用される充電処理システムに関する。
【背景技術】
【０００２】
特開２０１７−４１９３９号公報（特許文献１）には、車外の給電装置から供給される電力で車載の蓄電装置を充電する外部充電を行なうシステムが開示されている。このシステムは、充電サービス提供サーバと、クーポンサービス提供サーバとを備える。充電サービス提供サーバは、ユーザが操作する携帯端末からユーザの認証情報と決済情報の有効性に係る情報とを受信し、認証情報が有効であり、かつ決済情報が有効である場合には、充電開始要求を給電装置に対して送信する。また、充電サービス提供サーバは、給電装置による充電開始に伴い、クーポンサービス提供サーバに対してクーポンの発行を要求する。クーポンサービス提供サーバは当該要求を受けて、携帯端末に対して、給電装置の周辺に存在する店舗で使用可能なクーポンを発行する。これにより、ユーザは、外部充電を待つ間に、給電装置の周辺に存在する店舗で携帯端末を通じて当該クーポンを使用することができる。
【先行技術文献】
【特許文献】
【０００３】
【特許文献１】特開２０１７−４１９３９号公報
【発明の概要】
【発明が解決しようとする課題】
【０００４】
近年、地球環境保護の観点から、環境負荷の高い化石エネルギ（石油、石炭、天然ガスなど）ではなく、環境負荷の低い再生可能エネルギ（太陽光、風力、地熱、バイオマスなど）を利用して発電を行なう発電設備が広く普及しつつある。これに伴い、再生可能エネルギを利用した外部充電を促す技術の開発が望まれる。
【０００５】
しかしながら、上述の特開２０１７−４１９３９号公報に開示されたシステムにおいては、再生可能エネルギを利用した外部充電を促す技術について何ら言及されておらず、改善の余地があった。
【０００６】
本開示は、上述の課題を解決するためになされたものであって、その目的は、生可能エネルギを利用した外部充電と、外部充電場所の周辺に存在する店舗への来店とを、特定の属性を有するユーザに対して適切に促すことである。
【０００７】
なお、以下では、再生可能エネルギを利用して発電された電力を「ＣＯ２フリー電力」とも記載し、ＣＯ２フリー電力による外部充電を「ＣＯ２フリー充電」とも記載する。
【課題を解決するための手段】
【０００８】
（１）  本開示による充電処理システムは、再生可能エネルギを利用して発電されたＣＯ２フリー電力を供給可能な給電設備と、給電設備から供給されるＣＯ２フリー電力を用いて車載の蓄電装置を充電するＣＯ２フリー充電を各々が実行可能に構成された複数の電動車両と、複数の電動車両をそれぞれ所有する複数のユーザがそれぞれ携帯可能な複数の携帯端末と、複数の電動車両のうちのＣＯ２フリー充電が行なわれる電動車両のユーザの携帯端末に対して、給電設備の周辺に存在する店舗で使用可能なクーポンを発行可能に構成されたサーバとを備える。サーバは、記憶装置と、制御装置とを含む。記憶装置は、複数のユーザの各々について、各ユーザを特定するための情報と各ユーザの属性を示す情報とを対応付けたユーザ属性情報を記憶する。制御装置は、ユーザ属性情報を参照して特定の属性を有するユーザを抽出し、抽出されたユーザの携帯端末に対して、発行を予定しているクーポンに関するクーポン予告情報を通知するように構成される。
【０００９】
上記システムによれば、ＣＯ２フリー充電が行なわれる電動車両のユーザの携帯端末に対して、給電設備の周辺に存在する店舗で使用可能なクーポンが発行される。さらに、特定の属性を有するユーザの携帯端末に対して、発行を予定しているクーポンに関するクーポン予告情報が通知される。これにより、特定の属性を有するユーザを狙ってクーポン予告情報を通知することができる。その結果、ＣＯ２フリー充電と店舗への来店とを、特定の属性を有するユーザに対して適切に促すことができる。
【００１０】
（２）  ある形態においては、ユーザ属性情報には、各ユーザが店舗に来店する傾向にある時間帯の情報が含まれる。制御装置は、特定の属性が特定の時間帯に店舗に来店する傾向にあるという属性である場合、ユーザ属性情報を参照して特定の時間帯に店舗に来店する傾向にあるユーザを抽出し、抽出されたユーザの携帯端末に対してクーポン予告情報を送信する。
【００１１】
上記形態によれば、特定の時間帯に店舗に来店する傾向にあるユーザを狙ってクーポン予告情報を通知することができる。
【００１２】
（３）  ある形態においては、特定の時間帯は、店舗の集客率が所定率よりも高い時間帯を含む。クーポン予告情報は、店舗の集客率が所定率よりも低い時間帯にクーポンが発行されることを示す情報を含む。
【００１３】
上記形態によれば、店舗の集客率が所定率よりも高い時間帯（たとえば店舗内がかなり混雑する夕方の時間帯）に来店する傾向にあるユーザに対して、店舗の集客率が所定率よりも低い時間帯（たとえば店舗内がそれほど混雑しない平日の昼間の時間帯）に発行を予定しているクーポンに関する予告情報が通知される。これにより、店舗の混雑状況を平準化することが期待できる。また、ユーザは、店舗内がそれほど混雑しない時間帯にクーポンの利益を享受することができるため、ＣＯ２フリー充電の待ち時間をより有効に活用することができる。
【００１４】
（４）  ある形態においては、ユーザ属性情報には、各ユーザの位置情報が含まれる。制御装置は、特定の属性が特定の場所に居るという属性である場合、ユーザ属性情報を参照して特定の場所に居るユーザを抽出し、抽出されたユーザの携帯端末に対してクーポン予告情報を送信する。
【００１５】
上記形態によれば、特定の場所（たとえば店舗の周辺にある他の店舗）に居るユーザに対して、ＣＯ２フリー充電と店舗への来店とを適切に促すことができる。
【発明の効果】
【００１６】
本開示によれば、再生可能エネルギを利用した外部充電（ＣＯ２フリー充電）と、外部充電場所の周辺に存在する店舗への来店とを、特定の属性を有するユーザに対して適切に促すことができる。
【図面の簡単な説明】
【００１７】
【図１】充電処理システムの全体構成の一例を模式的に示す図である。
【図２】車両の構成の一例を模式的に示す図である。
【図３】給電設備の構成の一例を模式的に示す図である。
【図４】サーバの構成の一例を模式的に示す図である。
【図５】携帯端末の構成の一例を模式的に示す図である。
【図６】サーバの記憶装置に記憶されるユーザ属性情報の一例を示す図である。
【図７】クーポン予告処理およびクーポン予告処理に関連する処理の概要の一例を示すシーケンス図である。
【図８】サーバが実行するクーポン予告処理の手順の一例を示すフローチャート（その１）である。
【図９】サーバが実行するクーポン予告処理の手順の一例を示すフローチャート（その２）である。
【発明を実施するための形態】
【００１８】
以下、本開示の実施の形態について、図面を参照しながら詳細に説明する。図中、同一又は相当部分には同一符号を付してその説明は繰り返さない。
【００１９】
＜システム構成＞
図１は、本実施の形態による充電処理システム１の全体構成の一例を模式的に示す図である。この充電処理システム１は、車両１００Ａ，１００Ｂと、給電設備２００Ａ，２００Ｂと、サーバ３００と、携帯端末４００Ａ，４００Ｂとを備える。
【００２０】
なお、車両１００Ａ，給電設備２００Ａ，携帯端末４００Ａの基本的な構成は、それぞれ、車両１００Ｂ，給電設備２００Ｂ，携帯端末４００Ｂの基本的な構成と同じである。そのため、以下では、区別して説明がある場合を除いて、車両１００Ａと車両１００Ｂとを区別することなく「車両１００」とも記載し、給電設備２００Ａと給電設備２００Ｂとを区別することなく「給電設備２００」とも記載し、携帯端末４００Ａと携帯端末４００Ｂとを区別することなく「携帯端末４００」とも記載する。
【００２１】
給電設備２００は、店舗１１に隣接する駐車場１２に設置される。なお、駐車場１２に設置される給電設備２００の数は任意であり、１つであっても、複数（２つ以上）であってもよい。店舗１１は、ショッピングセンタなどの複数の店が設けられる施設であってもよいし、１つの店であってもよい。
【００２２】
給電設備２００は、先端にコネクタ２０１を有する充電ケーブル２０２を備え、充電ケーブル２０２を介して車両１００に給電可能に構成される。給電設備２００は、ＣＯ２フリー電力供給源５００に接続され、ＣＯ２フリー電力供給源５００から、再生可能エネルギを利用して発電された電力（以下「ＣＯ２フリー電力」ともいう）を受ける。再生可能エネルギは、枯渇せず繰り返し使うことができる、環境負荷の低いエネルギ（太陽光、風力、地熱、バイオマスなど）である。給電設備２００は、ＣＯ２フリー電力供給源５００から受けたＣＯ２フリー電力を車両１００に供給することができる。なお、ＣＯ２フリー電力供給源５００は、店舗１１によって設置された、ＣＯ２フリー電力を発電する設備そのものであってもよいし、電力会社等によって運営される、複数のエリアで発電されたＣＯ２フリー電力を集約する設備であってもよい。また、ＣＯ２フリー電力は、Ｊ−クレジットや非化石証明等により、化石由来の電力に環境価値を付帯した電力であってもよい。
【００２３】
車両１００は、インレット１１０、電力変換装置１２０、および蓄電装置１３０を備える。車両１００は、蓄電装置１３０に蓄えられた電力を用いて走行可能な電動車両（プラグインハイブリッド車、電気自動車など）である。蓄電装置１３０としては、リチウムイオン電池またはニッケル水素電池のような二次電池のほか、大容量のキャパシタも採用可能である。
【００２４】
車両１００は、車外の給電設備２００から供給されるＣＯ２フリー電力を用いて車載の蓄電装置１３０を充電する「ＣＯ２フリー充電」を実行可能に構成される。具体的には、給電設備２００からインレット１１０が受けるＣＯ２フリー電力は、電力変換装置１２０を経て蓄電装置１３０に供給される。これにより、ＣＯ２フリー充電が行なわれる。なお、ＣＯ２フリー充電中において、車両１００と給電設備２００とが充電ケーブル２０２を介して有線通信可能に構成してもよい。
【００２５】
図１には、車両１００Ａの所有者であるユーザＵ１による運転で車両１００Ａが店舗１１の駐車場１２に向かって走行し、車両１００Ｂが店舗１１の駐車場１２に設置された給電設備２００Ｂに接続されてＣＯ２フリー充電を行ない、車両１００Ｂの所有者であるユーザＵ２がＣＯ２フリー充電の待ち時間を利用して店舗１１で買い物をしている例が示されている。
【００２６】
携帯端末４００は、車両１００の所有者が携帯可能な端末（たとえば、スマートフォン、スマートウォッチのようなウェアラブルデバイス）である。なお、図１に示す携帯端末４００Ａ、４００Ｂは、それぞれユーザＵ１、Ｕ２に携帯されている。
【００２７】
図１には、便宜上、２台の車両１００（１００Ａ，１００Ｂ）および２台の携帯端末４００（４００Ａ、４００Ｂ）が例示されている。しかしながら、本実施の形態による充電処理システム１に適用される車両１００および携帯端末４００の台数は、それぞれ２台よりも多い台数であることが想定される。
【００２８】
サーバ３００は、店舗１１内に設けられ、店舗１１で使用可能なクーポンを発行するように構成される。なお、図１にはサーバ３００は店舗１１内に設けられる例が示されているが、サーバ３００は店舗１１内に設けられることに限定されず、たとえばサーバ３００の一部または全部の機能が店舗１１の外に設けられてもよい。
【００２９】
車両１００、給電設備２００、サーバ３００、および携帯端末４００は、通信ネットワーク６００に対して有線あるいは無線でアクセス可能に構成されるとともに、通信ネットワーク６００を介して相互通信可能に構成される。通信ネットワーク６００としては、任意の通信ネットワークを採用可能である。通信ネットワーク６００はインターネットであってもよい。
【００３０】
以下、図２〜図５を用いて、車両１００、給電設備２００、サーバ３００、および携帯端末４００の各々の構成について順に説明する。
【００３１】
図２は、車両１００の構成の一例を模式的に示す図である。車両１００は、上述のインレット１１０、電力変換装置１２０、蓄電装置１３０に加えて、入力装置１７２と、表示装置１７４と、記憶装置１７６と、位置検出装置１７８と、通信装置１８０と、制御装置１５０とを備える。
【００３２】
入力装置１７２は、タッチパネルやスイッチ等で構成されており、ユーザによる操作を受け付ける。表示装置１７４は、たとえば液晶パネルで構成されており、制御装置１５０からの指令に応じた各種情報をユーザに表示する。
【００３３】
記憶装置１７６は、各種制御に用いられる情報、入力装置１７２に入力された情報、通信装置１８０が外部から受信した情報など、さまざまな情報を記憶する。
【００３４】
位置検出装置１７８は、ＧＰＳ（Global  Positioning  System）を利用して、車両１００の現在位置（経度および緯度）を示す情報を検出する。
【００３５】
通信装置１８０は、通信ネットワーク６００を介して、給電設備２００、サーバ３００、および携帯端末４００と通信を行なうためのインターフェースである。
【００３６】
制御装置１５０は、ＣＰＵ（Central  Processing  Unit）を含んで構成され、車両１００の各機器の制御（上述のＣＯ２フリー充電など）を行なう。
【００３７】
図３は、給電設備２００の構成の一例を模式的に示す図である。給電設備２００は、制御装置２１０と、記憶装置２２０と、通信装置２３０と、給電装置２４０と、表示装置２７４とを備える。
【００３８】
通信装置２３０は、たとえば通信ネットワーク６００を介して、車両１００、サーバ３００、および携帯端末４００と通信を行なうためのインターフェースである。
【００３９】
給電装置２４０は、ＣＯ２フリー電力供給源５００から供給されるＣＯ２フリー電力を、充電ケーブル２０２を介して車両１００に供給するための装置である。
【００４０】
記憶装置２２０は、各種制御に用いられる情報、通信装置２３０が外部から受信した情報、給電装置２４０が車両１００に供給したＣＯ２フリー電力の履歴情報など、さまざまな情報を記憶する。
【００４１】
表示装置２７４は、たとえば液晶パネルで構成されており、制御装置２１０からの指令に応じた各種情報をユーザに表示する。
【００４２】
制御装置２１０は、ＣＰＵ（Central  Processing  Unit）を含んで構成され、給電設備２００の各機器の制御を行なう。
【００４３】
図４は、サーバ３００の構成の一例を模式的に示す図である。サーバ３００は、制御装置３１０と、記憶装置３２０と、通信装置３３０とを含む。
【００４４】
通信装置３３０は、たとえば通信ネットワーク６００を介して、車両１００、給電設備２００、および携帯端末４００と通信を行なうためのインターフェースである。
【００４５】
記憶装置３２０は、各種制御に用いられる情報、通信装置３３０が外部から受信した情報など、さまざまな情報を記憶する。
【００４６】
なお、記憶装置３２０には、給電設備２００を特定するための給電設備ＩＤと、その給電設備ＩＤで特定される給電設備２００の設置場所とを対応付けた「給電設備情報」が、予め記憶されている。また、記憶装置３２０には、後述のクーポンアプリがインストールされた携帯端末４００のユーザを特定するためのユーザＩＤと、ユーザの属性情報（性別、年代等）とを対応付けた「ユーザ属性情報」が予め登録されている。以下では、ユーザ属性情報に登録されているユーザを「登録ユーザ」とも記載する。
【００４７】
制御装置２１０は、ＣＰＵ（Central  Processing  Unit）を含んで構成され、サーバ３００の各機器の制御を行なう。制御装置２１０は、携帯端末４００との通信を行なって、携帯端末４００に対して、店舗１１で使用可能なクーポンを発行する処理などを行なう。
【００４８】
図５は、携帯端末４００の構成の一例を模式的に示す図である。携帯端末４００は、入力装置４７２と、表示装置４７４と、記憶装置４７６と、位置検出装置４７８と、通信装置４８０と、制御装置４５０と、カメラ４６０とを備える。
【００４９】
入力装置４７２は、タッチパネルやスイッチ等で構成されており、ユーザによる操作を受け付ける。表示装置４７４は、たとえば液晶パネルで構成されており、制御装置４５０からの指令に応じた各種情報をユーザに表示する。
【００５０】
記憶装置４７６は、各種制御に用いられる情報、入力装置４７２に入力された情報、通信装置４８０が外部から受信した情報など、さまざまな情報を記憶する。
【００５１】
位置検出装置４７８は、ＧＰＳ（Global  Positioning  System）を利用して、携帯端末４００の現在位置（経度および緯度、以下「ユーザ位置」ともいう）を示す情報を検出する。
【００５２】
通信装置４８０は、たとえば通信ネットワーク６００を介して、車両１００、給電設備２００、およびサーバ３００と通信を行なうためのインターフェースである。
【００５３】
制御装置４５０は、ＣＰＵ（Central  Processing  Unit）を含んで構成され、携帯端末４００の各機器の制御を行なう。
【００５４】
なお、携帯端末４００には、サーバ３００にクーポンの発行を要求したりサーバ３００からクーポンを受け取ったりするための専用のアプリケーション（以下「クーポンアプリ」ともいう）がインストールされている。携帯端末４００のユーザは、このクーポンアプリをインストールする際に、自らの属性情報（性別、年代等）を入力し、サーバ３００に送信する。この属性情報は、ユーザＩＤとともに、サーバ３００の記憶装置３２０に記憶されるユーザ属性情報に登録される。
【００５５】
図６は、サーバ３００の記憶装置３２０に記憶されるユーザ属性情報の一例を示す図である。
【００５６】
ユーザ属性情報には、登録ユーザを特定するためのユーザＩＤの情報と、各ユーザの属性を示すユーザ属性の情報とが対応付けられて記憶されている。
【００５７】
ユーザ属性には、図６に示すように、ユーザの性別、年代、来店する傾向にある時間帯、曜日、天候、およびユーザ位置が含まれる。ユーザ属性のうち、性別、年代の情報は、登録ユーザがクーポンアプリをインストールする際に、自らが入力した情報である。来店傾向の情報は、たとえば、各ユーザが店舗１１に来店した履歴に基づいて設定される。ユーザ位置の情報は、たとえば、各ユーザの携帯端末４００から所定周期で送信されてくる情報である。
【００５８】
＜ＣＯ２フリー充電に伴うクーポンの発行＞
本実施の形態によるサーバ３００は、ＣＯ２フリー充電の促進および店舗１１の集客のために、店舗１１の駐車場１２に設置された給電設備２００を用いてＣＯ２フリー充電を行なった車両１００の登録ユーザに対して、店舗１１で使用可能なクーポンを発行する処理（以下「クーポン発行処理」ともいう）を行なう。
【００５９】
たとえば、ユーザが給電設備２００に設けられたＣＯ２フリー充電開始ボタン（図示せず）を押すると、給電設備２００は、自らの給電設備ＩＤとサーバ３００へのアクセス先を示す情報とを示すコード情報（たとえばＱＲコード（登録商標）など）を表示装置２７４に表示させる。
【００６０】
携帯端末４００は、給電設備２００の表示装置２７４に表示されたコード情報をカメラ４６０を用いて読み取り、読み取ったコード情報に含まれるアクセス先にアクセスして、サーバ３００へクーポン要求情報を送信する。このクーポン要求情報には、たとえば、コード情報に含まれている給電設備ＩＤを示す情報、携帯端末４００を携帯するユーザのユーザＩＤを示す情報、位置検出装置４７８によって検出されたユーザ位置を示す情報、現在の時刻を示す情報が含まれる。
【００６１】
サーバ３００は、携帯端末４００からクーポン要求情報を受信すると、クーポン要求情報に含まれる給電設備ＩＤの設置場所を記憶装置３２０に記憶された給電設備情報を参照して特定し、特定された給電設備の設置場所と、クーポン要求情報に含まれるユーザ位置との距離が所定値未満であるか否かを判定する。そして、給電設備の設置場所とユーザ位置との距離が所定値未満である場合、サーバ３００は、クーポン要求情報含まれるユーザＩＤに対応する携帯端末４００に対してクーポンを発行する。
【００６２】
携帯端末４００は、サーバ３００から発行されたクーポンを受信する。ユーザは、サーバ３００から受信したクーポンを示す情報を表示装置４７４に表示させて店舗１１に提示することによって、当該クーポンを店舗１１で使用することができる。
【００６３】
なお、上述のクーポン発行処理の内容は、あくまで一例であって、これに限定されるものではない。また、上述のクーポン発行処理ではクーポンがサーバ３００から携帯端末４００に送信されるが、クーポンは必ずしもサーバ３００から携帯端末４００に送信されることに限定されない。たとえば、クーポンがサーバ３００内で管理されてもよい。すなわち、サーバ３００がユーザＩＤに対してクーポンを発行した情報を管理し、携帯端末４００がサーバ３００にアクセスすることによってクーポンを利用できるようにしてもよい。
【００６４】
＜クーポンの予告通知＞
また、本実施の形態によるサーバ３００は、発行を予定しているクーポンに関する情報（以下「クーポン予告情報」ともいう）を、登録ユーザに通知する処理（以下「クーポン予告処理」ともいう）を行なう。
【００６５】
図７は、クーポン予告処理およびクーポン予告処理に関連する処理の概要の一例を示すシーケンス図である。これらの処理には、サーバ３００（より詳しくは制御装置３１０）および携帯端末４００（より詳しくは制御装置４５０）が関連する。
【００６６】
サーバ３００は、クーポン予告情報を通知する対象となるユーザの属性（以下「予告対象ユーザ属性」ともいう）を設定する（ステップＳ３０）。予告対象ユーザ属性は、たとえば店舗１１がサーバ３００に対して任意に設定することができる。たとえば、予告対象ユーザ属性（特定の属性）は、「特定の時間帯に店舗１１に来店する傾向にある」という属性、あるいは、「特定の場所に居る」という属性などに設定することができる。
【００６７】
次いで、サーバ３００は、設定された予告対象ユーザ属性を有するユーザの携帯端末４００に、クーポン予告情報を送信する（ステップＳ３１）。クーポン予告情報には、クーポンの発行を予定している日、曜日、時間帯、発行数、発行額、店舗、商品、サービスなどのさまざまな情報が含まれる。クーポン予告情報の送信タイミングは、任意に設定可能であり、たとえば、予め決められたタイミング（たとえば特定の曜日の特定の時刻）であってもよいし、店舗１１の集客状況などによって変更されるタイミングであってもよい。
【００６８】
携帯端末４００は、サーバ３００からのクーポン予告情報を受信し（ステップＳ４０）、受信したクーポン予告情報を表示装置４７４に表示する（ステップＳ４１）。これにより、登録ユーザにクーポン予告情報を表示して、店舗１１に来てＣＯ２フリー充電を行なうことを促すことができる。
【００６９】
その後、携帯端末４００は、受信したクーポン予告情報を記憶装置４７６に記憶する。ユーザは、必要に応じて入力装置４７２を操作することによって、記憶装置４７６に記憶されたクーポン予告情報を読み出して表示装置４７４に表示させることができる。
【００７０】
図８は、予告対象ユーザ属性（特定の属性）が「特定の時間帯に店舗１１に来店する傾向にある」という属性に設定されている場合にサーバ３００が実行するクーポン予告処理（図７のステップＳ３１）の手順の一例を示すフローチャートである。
【００７１】
サーバ３００は、予告対象ユーザ属性が「特定の時間帯に店舗１１に来店する傾向にある」という属性に設定されているか否かを判定する（ステップＳ３２ａ）。なお、「特定の時間帯」は、たとえば、店舗１１の集客率が所定率よりも高い時間帯（たとえば店舗内がかなり混雑する夕方の時間帯）に設定することができる。
【００７２】
予告対象ユーザ属性が「特定の時間帯に店舗１１に来店する傾向にある」という属性に設定されていない場合（ステップＳ３２ａにおいてＮＯ）、サーバ３００は、以降の処理をスキップして処理を終了する。
【００７３】
予告対象ユーザ属性が「特定の時間帯に店舗１１に来店する傾向にある」という属性に設定されている場合（ステップＳ３２ａにおいてＹＥＳ）、サーバ３００は、記憶装置３２０に記憶されるユーザ属性情報（図６）を参照して、特定の時間帯に店舗１１に来店する傾向にあるユーザを抽出する（ステップＳ３３ａ）。
【００７４】
次いで、サーバ３００は、抽出されたユーザに対して、特定の時間帯以外の時間帯にクーポンが発行される旨を示すクーポン予告情報を携帯端末４００に送信する（ステップＳ３４ａ）。
【００７５】
たとえば、「特定の時間帯」が店舗１１の集客率が所定率よりも高い時間帯（たとえば店舗内がかなり混雑する夕方の時間帯）に設定される場合には、サーバ３００は、店舗１１の集客率が所定率よりも低い時間帯（たとえば店舗内がそれほぼ混雑しない平日の昼間の時間帯）にクーポンが発行される旨を示すクーポン予告情報を携帯端末４００に送信する。これにより、店舗１１の混雑状況を平準化することが期待できる。また、ユーザは、店舗１１内がそれほど混雑しない時間帯にクーポンの利益を享受することができるため、ＣＯ２フリー充電の待ち時間をより有効に活用することができる。
【００７６】
図９は、予告対象ユーザ属性が「特定の場所に居る」という属性に設定されている場合にサーバ３００が実行するクーポン予告処理（図７のステップＳ３１）の手順の一例を示すフローチャートである。
【００７７】
サーバ３００は、予告対象ユーザ属性が「特定の場所に居る」という属性に設定されているか否かを判定する（ステップＳ３２ｂ）。なお、「特定の場所」は、たとえば、店舗１１の周辺にある別の店舗の場所に設定することができる。
【００７８】
予告対象ユーザ属性が「特定の場所に居る」という属性に設定されていない場合（ステップＳ３２ｂにおいてＮＯ）、サーバ３００は、以降の処理をスキップして処理を終了する。
【００７９】
予告対象ユーザ属性が「特定の場所に居る」という属性に設定されている場合（ステップＳ３２ｂにおいてＹＥＳ）、サーバ３００は、記憶装置３２０に記憶されるユーザ属性情報（図６）を参照して、特定の場所に居るユーザを抽出する（ステップＳ３３ｂ）。
【００８０】
次いで、サーバ３００は、抽出されたユーザに対してクーポン予告情報を携帯端末４００に送信する（ステップＳ３４ｂ）。これにより、特定の場所（たとえば店舗１１の周辺にある他の店舗）に居るユーザに対して、ＣＯ２フリー充電と店舗１１への来店とを適切に促すことができる。
【００８１】
以上のように、本実施の形態によるサーバ３００は、ＣＯ２フリー充電が行なわれる車両１００のユーザに対して、給電設備２００の周辺に存在する店舗１１で使用可能なクーポンを発行する。さらに、予告対象ユーザ属性（特定の属性）を有するユーザに対して、発行を予定しているクーポンに関するクーポン予告情報を通知する。これにより、予告対象ユーザ属性（特定の属性）を有するユーザを狙ってクーポン予告情報を通知することができる。その結果、ＣＯ２フリー充電と店舗１１への来店とを、特定の属性を有するユーザに対して適切に促すことができる。
【００８２】
さらに、サーバ３００は、予告対象ユーザ属性が「特定の時間帯に店舗に来店する傾向にある」という属性である場合、ユーザ属性情報を参照して特定の時間帯に店舗に来店する傾向にあるユーザを抽出し、抽出されたユーザに対してクーポン予告情報を送信する。これにより、特定の時間帯に店舗に来店する傾向にあるユーザを狙ってクーポン予告情報を通知することができる。
【００８３】
たとえば、「特定の時間帯」が店舗１１の集客率が所定率よりも高い時間帯（たとえば店舗内がかなり混雑する夕方の時間帯）に設定される場合には、サーバ３００は、店舗１１の集客率が所定率よりも低い時間帯（たとえば店舗内がそれほぼ混雑しない平日の昼間の時間帯）にクーポンが発行される旨を示すクーポン予告情報を携帯端末４００に送信する。これにより、店舗１１の混雑状況を平準化することが期待できる。また、ユーザは、店舗１１内がそれほど混雑しない時間帯にクーポンの利益を享受することができるため、ＣＯ２フリー充電の待ち時間をより有効に活用することができる。
【００８４】
さらに、サーバ３００は、予告対象ユーザ属性が「特定の場所に居る」という属性である場合、ユーザ属性情報を参照して特定の場所に居るユーザを抽出し、抽出されたユーザに対してクーポン予告情報を送信する。そのため、たとえば「特定の場所」を店舗１１の周辺にある他の店舗の場所に設定することで、他の店舗に居るユーザに対して、ＣＯ２フリー充電と店舗１１への来店とを適切に促すことができる。
【００８５】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【００８６】
１  充電処理システム、１１  店舗、１２  駐車場、１００Ａ，１００Ｂ  車両、１１０  インレット、１２０  電力変換装置、１３０  蓄電装置、１５０，２１０，３１０，４５０  制御装置、１７２，４７２  入力装置、１７４，２７４，４７４  表示装置、１７６，２２０，３２０，４７６  記憶装置、１７８，４７８  位置検出装置、１８０，２３０，３３０，４８０  通信装置、２００，２００Ａ，２００Ｂ，ＩＤ  給電設備、２０１  コネクタ、２０２  充電ケーブル、２４０  給電装置、３００  サーバ、４００Ａ，４００Ｂ  携帯端末、４６０  カメラ、５００  ＣＯ２フリー電力供給源、６００  通信ネットワーク。
【図１】
2020102025.tif 000003
【図２】
2020102025.tif 000004
【図３】
2020102025.tif 000005
【図４】
2020102025.tif 000006
【図５】
2020102025.tif 000007
【図６】
2020102025.tif 000008
【図７】
2020102025.tif 000009
【図８】
2020102025.tif 000010
【図９】
2020102025.tif 000011